(57)【要約】【課題】ユーザにとって情報の入力が容易になるようにしつつ、時刻の誤差を確実に減らすこと。【解決手段】予め決められた複数の補正量のいずれかを用いてリアルタイムクロック１４の時刻を補正する時刻補正装置１０が、ユーザにより入力された基準時刻の情報を受け付ける情報受付部１５ｂと、情報受付部１５ｂにより受け付けられた基準時刻の情報に基づいて、複数の補正量の中から補正量を選択する補正量選択部１５ｃと、補正量選択部１５ｃにより選択された補正量を適用してリアルタイムクロック１４の時刻を補正する時刻補正部１５ｄと、を備える。【選択図】図１
2020180876.tif 000002
【特許請求の範囲】
【請求項１】
予め定められた複数の補正量のいずれかを用いてリアルタイムクロックの時刻を補正する時刻補正装置であって、
ユーザにより入力された基準時刻の情報を受け付ける情報受付部と、
前記情報受付部により受け付けられた前記基準時刻の情報に基づいて、前記複数の補正量の中から補正量を選択する補正量選択部と、
前記補正量選択部により選択された補正量を適用して前記リアルタイムクロックの時刻を補正する時刻補正部と、
を備える時刻補正装置。
【請求項２】
前記基準時刻に基づいて算出された誤差が、前記リアルタイムクロックの時刻を前回補正する際に生じていた誤差よりも大きい場合に、前記ユーザに報知する報知部をさらに備える請求項１に記載の時刻補正装置。
【請求項３】
前記基準時刻に基づいて算出された誤差が、前記リアルタイムクロックの時刻を前回補正する際に生じていた誤差よりも大きい場合に、前記情報受付部は、前記ユーザにより再入力された時刻の情報を受け付ける請求項２に記載の時刻補正装置。
【請求項４】
前記基準時刻に基づいて算出された誤差が、前記リアルタイムクロックの時刻を前回補正する際に生じていた誤差よりも大きい場合に、前記情報受付部は、前記予め定められた複数の補正量の中からユーザにより入力された補正量の情報を受け付け、前記時刻補正部は、前記ユーザにより入力された補正量の情報に基づいて前記リアルタイムクロックの時刻を補正する請求項２に記載の時刻補正装置。
【請求項５】
前記予め定められた複数の補正量のいずれかの入力をユーザから受け付ける手動モードと、前記ユーザから時刻の情報の入力を受け付ける自動モードの何れかを選択を受け付けるモード選択部をさらに備え、前記時刻補正部は、前記手動モードにおいては前記ユーザにより入力を受け付けた補正量を用いて前記リアルタイムクロックの時刻を補正し、前記自動モードにおいては、前記補正量選択部により選択された補正量を用いて前記リアルタイムクロックの時刻を補正する請求項１〜４のいずれか１項に記載の時刻補正装置。
【請求項６】
予め定められた複数の補正量のいずれかを用いてリアルタイムクロックの時刻を補正する時刻補正方法であって、
ユーザにより入力された基準時刻の情報を受け付ける情報受付ステップと、
前記情報受付ステップにおいて受け付けられた前記基準時刻の情報に基づいて、前記複数の補正量の中から補正量を選択する補正量選択ステップと、
前記補正量選択ステップにおいて選択された補正量を適用して前記リアルタイムクロックの時刻を補正する時刻補正ステップと、
を含む時刻補正方法。
【請求項７】
予め定められた複数の補正量のいずれかを用いてリアルタイムクロックの時刻を補正する時刻補正プログラムであって、
コンピュータに、
ユーザにより入力された基準時刻の情報を受け付ける情報受付手順と、
前記情報受付手順において受け付けられた前記基準時刻の情報に基づいて、前記複数の補正量の中から補正量を選択する補正量選択手順と、
前記補正量選択手順において選択された補正量を適用して前記リアルタイムクロックの時刻を補正する時刻補正手順と、
を実行させる時刻補正プログラム。
【発明の詳細な説明】
【技術分野】
【０００１】
本開示は、時刻補正装置、時刻補正方法、および、時刻補正プログラムに関する。
【背景技術】
【０００２】
従来、超低温フリーザなどの冷凍装置、培養機器等にはリアルタイムクロックが搭載されている。リアルタイムクロックにより計測された時刻は、培養時間の計測、ログの記録などに利用される。
【０００３】
リアルタイムクロックには所定の周波数で信号を発信する発振器が設けられているが、発振器の個体差や温度などの使用環境により発信周波数が変化し、時刻に誤差が生じる場合がある。
【０００４】
特許文献１には、外部の高周波発振器を利用して低周波発振器の発信周波数の誤差量を測定し、その誤差量に応じて低周波発振器の発信周波数の分周比を変更することにより時刻を補正するリアルタイムクロックが開示されている。
【先行技術文献】
【特許文献】
【０００５】
【特許文献１】特開２０１３−１６７５９７号公報
【発明の概要】
【発明が解決しようとする課題】
【０００６】
しかしながら、上述した特許文献１の従来技術では、高周波発振器を別途設ける必要があるので装置のコストが高くなる。
【０００７】
これを回避するため、ユーザにより入力された情報に基づいて時刻を補正することが考えられるが、リアルタイムクロックにおける時刻補正では、入力できる情報が仕様により決められている場合がある。
【０００８】
例えば、時刻の補正を行う場合に、予め定められた複数の時刻の補正量の中のいずれかを入力する必要があるリアルタイムクロックがある。
【０００９】
本開示は、ユーザにとって情報の入力が容易になるようにしつつ、時刻の誤差を確実に減らすことができる時刻補正装置、時刻補正方法、および、時刻補正プログラムを提供することを目的とする。
【課題を解決するための手段】
【００１０】
本開示における時刻補正装置は、予め定められた複数の補正量のいずれかを用いてリアルタイムクロックの時刻を補正する時刻補正装置であって、ユーザにより入力された基準時刻の情報を受け付ける情報受付部と、情報受付部により受け付けられた基準時刻の情報に基づいて、複数の補正量の中から補正量を選択する補正量選択部と、補正量選択部により選択された補正量を適用してリアルタイムクロックの時刻を補正する時刻補正部と、を備える。
【００１１】
本開示における時刻補正方法は、予め定められた複数の補正量のいずれかを用いてリアルタイムクロックの時刻を補正する時刻補正方法であって、ユーザにより入力された基準時刻の情報を受け付ける情報受付ステップと、情報受付ステップにおいて受け付けられた基準時刻の情報に基づいて、複数の補正量の中から補正量を選択する補正量選択ステップと、補正量選択ステップにおいて選択された補正量を適用してリアルタイムクロックの時刻を補正する時刻補正ステップと、を含む。
【００１２】
本開示における時刻補正プログラムは、予め定められた複数の補正量のいずれかを用いてリアルタイムクロックの時刻を補正する時刻補正プログラムであって、コンピュータに、ユーザにより入力された基準時刻の情報を受け付ける情報受付手順と、情報受付手順において受け付けられた基準時刻の情報に基づいて、複数の補正量の中から補正量を選択する補正量選択手順と、補正量選択手順において選択された補正量を適用してリアルタイムクロックの時刻を補正する時刻補正手順と、を実行させる。
【発明の効果】
【００１３】
本開示によれば、ユーザにとって情報の入力が容易になるようにしつつ、時刻の誤差を確実に減らすことができる時刻補正装置、時刻補正方法、および、時刻補正プログラムを提供することができる。
【図面の簡単な説明】
【００１４】
【図１】本実施の形態における冷凍装置の構成を示すブロック図
【図２】時刻の計測の誤差について説明する図
【図３】予め定められた複数の補正量の一例を示す図
【図４】手動モードまたは自動モードの選択を受け付ける入力画面の一例を示す図
【図５】手動モードまたは自動モードの選択を受け付ける入力画面の一例を示す図
【図６】表示装置に表示される報知画面の一例を示す図
【図７】１回目のリアルタイムクロックの誤差の補正について説明する図
【図８】２回目以降のリアルタイムクロックの誤差の補正について説明する図
【図９】本実施の形態における時刻補正処理の処理手順の一例を示すフローチャート
【発明を実施するための形態】
【００１５】
以下、本開示にかかる実施の形態について、図面を参照して詳細に説明する。
【００１６】
図１は、本実施の形態における冷凍装置１０の構成を示すブロック図である。ここでは、リアルタイムクロック１４を備える装置が冷凍装置１０であることとするが、リアルタイムクロックを利用する装置であれば、培養装置などの他の装置であってもよい。
【００１７】
また、冷凍装置１０は、ネットワークを介して通信する装置ではなく、ネットワークから時刻の情報を入手して設定することができないスタンドアローンの装置であるものとする。そのため、この冷凍装置１０では、時刻の調整はユーザにより行われる必要がある。
【００１８】
冷凍装置１０は、入力装置１１、表示装置１２、記憶装置１３、リアルタイムクロック１４、および、時刻補正装置１５を備える。なお、冷凍装置１０が物品を冷凍する構成については、図１では省略されている。
【００１９】
入力装置１１は、ボタンやタッチパネルなどの入力デバイスである。表示装置１２はディスプレイなどの表示デバイスである。
【００２０】
記憶装置１３は、メモリなどの記憶デバイスである。記憶装置１３は、冷凍装置１０における種々の設定値、演算結果、時刻補正処理に必要なコンピュータプログラムなどを記憶する。
【００２１】
また、記憶装置１３は、リアルタイムクロック１４の時刻の補正に用いられる複数の補正量を記憶する。この補正量については図３を用いて後に詳しく説明する。
【００２２】
リアルタイムクロック１４は、所定の周波数でパルス信号を発信する発信器を備え、そのパルス信号の数に基づいて時刻を計測する装置である。
【００２３】
時刻補正装置１５は、予め定められた複数の補正量のいずれかを用いて、リアルタイムクロック１４が計測した誤差のある時刻を補正する装置である。
【００２４】
発信器の発信周波数は、発振器の個体差や温度などの使用環境により変化し、時刻の計測に誤差が生じる場合がある。時刻補正装置１５は、このような誤差を補正するための装置である。
【００２５】
図２は、時刻の計測の誤差について説明する図である。例えば、リアルタイムクロック１４に、発信器がＡ個のパルス信号を発信する時間がＴｉ＋１−Ｔｉ秒であると設定されているものとする。
【００２６】
また、個体差や温度などの使用環境などにより、発信器が、Ｔｉ＋１−Ｔｉ秒間にＡ個ではなく、Ａ＋ａ個のパルス信号を発信したものとする。
【００２７】
この場合、リアルタイムクロック１４は、Ａ個のパルス信号を検知した段階でＴｉ＋１−Ｔｉ秒経過したと判定する。
【００２８】
しかし、Ａ個のパルス信号を検知した段階で、リアルタイムクロック１４の内部基準時刻はｔｉ＋１−ｔｉ秒しか経過していないため、リアルタイムクロック１４においてＴｉ＋１−Ｔｉ秒として計測される時間が実際よりもＴｉ＋１−ｔｉ＋１秒だけ短くなる。すなわち、単位時間当たり（Ｔｉ＋１−ｔｉ＋１）／（Ｔｉ＋１−Ｔｉ）秒の誤差が発生する。
【００２９】
そのため、時刻補正装置１５は、予め決められた複数の補正量のいずれかを用いてリアルタイムクロック１４の時刻の誤差を補正する。図３は、予め定められた複数の補正量の一例を示す図である。この補正量の情報は、前述の記憶装置１３に記憶されている。
【００３０】
図３に示すように、この補正量の情報では、設定値、小スケール、および、大スケールが対応付けられている。設定値は、小スケール、または、大スケールに設定された補正量を特定するための値である。
【００３１】
小スケールは、小さい量だけ時刻を補正する際に用いられる補正量である。大スケールは、時刻を大きく補正する際に用いられる補正量である。
【００３２】
また、小スケール、および、大スケールに設定された補正量は、所定期間（例えば、３０日）に発生する誤差を補正する補正量である。以下では、この所定期間を、補正量適用期間と呼ぶこととする。
【００３３】
時刻を補正する際には、この設定値と、小スケールまたは大スケールのいずれかと、時刻を進めるのかまたは遅らせるのかが指定され、これによって時刻の補正量が特定される。なお、時刻を進める場合は、例えば、設定値にマイナスの符号を付して時刻を遅らせる場合と区別すればよい。
【００３４】
時刻補正装置１５は、選択された補正量を所定期間ごとに適用することにより、定期的にリアルタイムクロック１４の内部基準時刻の誤差を補正する。
【００３５】
図１の説明に戻ると、時刻補正装置１５は、モード選択部１５ａ、情報受付部１５ｂ、補正量選択部１５ｃ、時刻補正部１５ｄ、および、報知部１５ｅを有する。これらはプロセッサなどの制御デバイスにより構成される。
【００３６】
モード選択部１５ａは、予め決められた複数の補正量のいずれかの入力をユーザから受け付ける手動モードと、ユーザから基準時刻の情報の入力を受け付ける自動モードの何れかを選択を受け付ける。基準時刻とは、リアルタイムクロック１４の内部基準時刻を合わせる基準となる時刻である。
【００３７】
図４、および、図５は、手動モードまたは自動モードの選択を受け付ける入力画面２０の一例を示す図である。
【００３８】
図４、および、図５に示すように、この入力画面２０は、自動モード設定欄２１、日付入力欄２２、時刻入力欄２３、設定値入力欄２４、計算実行ボタン２５、設定適用ボタン２６を備える。
【００３９】
自動モード設定欄２１は、ユーザから手動モードまたは自動モードの選択を受け付ける欄である。図４に示すように、自動モード設定欄２１がＯＦＦにされると、手動モードが選択される。一方、図５に示すように、自動モード設定欄２１がＯＮにされると、自動モードが選択される。
【００４０】
日付入力欄２２は、基準時刻が属する日の日付の入力を受け付ける欄である。時刻入力欄２３は、基準時刻の入力を受け付ける欄である。
【００４１】
設定値入力欄２４は、図３に示した複数の設定値の中からユーザが選択した設定値の入力をユーザから受け付ける欄である。
【００４２】
計算実行ボタン２５は、時刻入力欄２３に入力された時刻に基づいてリアルタイムクロック１４の時刻の誤差を算出し、図３に示した設定値のうちその誤差を補正するための設定値を決定する際にユーザにより押下されるボタンである。
【００４３】
設定適用ボタン２６は、設定値入力欄２４に示されている設定値をリアルタイムクロック１４に適用する際にユーザにより押下されるボタンである。
【００４４】
図４に示す手動モードでは、日付入力欄２２、および、時刻入力欄２３には、前回入力された日付、および、基準時刻の情報が表示されるだけで、これらの欄はユーザからの入力を受け付けない状態にされている。また、計算実行ボタン２５も押下不能な状態とされている。
【００４５】
一方、図５に示す自動モードでは、設定値入力欄２４には、時刻入力欄２３に入力された時刻に基づいて決定された設定値が表示され、設定値入力欄２４はユーザからの入力を受け付けない状態とされている。
【００４６】
図１の説明に戻ると、情報受付部１５ｂは、ユーザが入力装置１１を操作して入力した基準時刻の情報を受け付ける。
【００４７】
補正量選択部１５ｃは、情報受付部１５ｂにより受け付けられた基準時刻の情報に基づいて、リアルタイムクロック１４の内部基準時刻の誤差を算出し、図３に示した複数の補正量の中からその誤差を補正するための補正量を選択する。
【００４８】
例えば、補正量選択部１５ｃは、図２に示した誤差Ｔｉ＋１−ｔｉ＋１を、図３に示した補正量の補正量適用期間当たりの誤差に変換する。
【００４９】
そして、補正量選択部１５ｃは、その誤差に最も近い値を図３に示した小スケールまたは大スケールの数値の中から検索し、検索した数値に対応する設定値を選択する。
【００５０】
その際、補正量選択部１５ｃは、時刻を進める必要がある場合、設定値にマイナスの符号を付して時刻を遅らせる場合と区別する。
【００５１】
時刻補正部１５ｄは、補正量選択部１５ｃにより選択された設定値に対応する補正量をリアルタイムクロック１４に適用して、リアルタイムクロック１４の時刻を補正する。
【００５２】
具体的には、時刻補正部１５ｄは、補正量選択部１５ｃにより選択された設定値と、小スケールまたは大スケールのいずれかと、時刻を進めるのかまたは遅らせるのかを指定することにより、誤差を補正するための補正量をリアルタイムクロック１４に適用する。
【００５３】
これにより、時刻補正部１５ｄは、図２に示した時刻ｔｉ＋１を時刻Ｔｉ＋１に一致させることができ、リアルタイムクロック１４の時刻を補正することができる。
【００５４】
また、時刻補正部１５ｄは、上記時刻の補正後、再びユーザにより基準時刻の入力を受け付けるまで、補正量適用期間が経過するごとに、補正量選択部１５ｃにより選択された設定値に対応する補正量をリアルタイムクロック１４に適用して、リアルタイムクロック１４の時刻を補正する。
【００５５】
報知部１５ｅは、基準時刻に基づいて算出された誤差が、リアルタイムクロック１４の時刻を前回補正する際に生じていた誤差よりも大きい場合に、ユーザに報知する。
【００５６】
具体的には、報知部１５ｅは、リアルタイムクロック１４の時刻を前回補正する際に生じていた誤差の値を記憶装置１３に記憶しておく。そして、報知部１５ｅは、今回基準時刻に基づいて算出された誤差が、前回補正する際に生じていた誤差よりも大きいか否かを判定する。
【００５７】
例えば、ユーザが誤って現在時刻と大きく異なる基準時刻を入力した場合、その基準時刻に基づいて算出された誤差が、リアルタイムクロック１４の時刻を前回補正する際に生じていた誤差よりも大きくなる。
【００５８】
そのため、基準時刻に基づいて算出された誤差に応じて設定された設定値をリアルタイムクロック１４に適用すると、前回よりも時刻の誤差が大きくなる。
【００５９】
このような場合にユーザに報知を行うことにより、リアルタイムクロック１４の時刻の誤差が前回よりも大きくなるような事態を防止することができる。
【００６０】
図６は、表示装置１２に表示される報知画面３０の一例を示す図である。報知画面３０には、基準時刻に基づいて算出された誤差が、リアルタイムクロック１４の時刻を前回補正する際に生じていた誤差よりも大きく、このまま設定値を適用すると前回よりも誤差が大きくなることを示すメッセージと、現在の設定値を適用するか否かをユーザに問い合わせるメッセージが表示される。
【００６１】
また、報知画面３０には、現在の設定値を適用するか否かの問い合わせに対する回答をユーザから受け付けるＹＥＳボタン３１とＮＯボタン３２とが表示される。
【００６２】
ＹＥＳボタン３１がユーザにより押下された場合、現在の設定値がリアルタイムクロック１４にそのまま適用される。ＮＯボタン３２がユーザにより押下された場合、設定値を別の設定値に再設定する処理が行われる。
【００６３】
図７は、１回目のリアルタイムクロック１４の誤差の補正について説明する図である。また、図８は、２回目以降のリアルタイムクロック１４の誤差の補正について説明する図である。
【００６４】
図７に示すように、製品出荷時である時刻Ｔ０に、リアルタイムクロック１４の内部基準時刻がｔ０に設定される。そして、次回のメインテナンス時に、図４および図５に示した入力画面２０で入力された情報に基づいて誤差Ｔ１−ｔ１を補正するための設定値がリアルタイムクロック１４に適用される。
【００６５】
なお、図７には、リアルタイムクロック１４の内部基準時刻とは別途設定されるユーザ設定時刻が示されている。
【００６６】
ユーザ設定時刻とは、たとえばサマータイムや時差など、ユーザの事情に合わせてリアルタイムクロック１４の内部基準時刻とは別に設定される時刻である。ここで、ｔ０＊はｔ０に対応する時刻であり、ｔ１＊はｔ１に対応する時刻である。
【００６７】
この場合、誤差を補正する設定値は、リアルタイムクロック１４の内部基準時刻に適用され、ユーザ設定時刻については、ｔ１−ｔ０＝ｔ１＊−ｔ０＊の関係が維持されるように、時刻ｔ１＊が変更される。
【００６８】
また、図８に示すように、２回目以降の誤差の補正時にも、メインテナンス時に、誤差Ｔｉ＋１−ｔｉ＋１、Ｔｉ＋２−ｔｉ＋２を補正するための設定値がリアルタイムクロック１４に適用される。
【００６９】
その際、基準時刻に基づいて算出された誤差が、リアルタイムクロック１４の時刻を前回補正する際に生じていた誤差よりも大きい場合に、ユーザにその旨報知される。そして、ユーザに設定値の再設定が促される。これにより、ユーザは、前回よりも誤差が大きくならないように適切に設定を行うことができる。
【００７０】
次に、本実施の形態における時刻補正処理の処理手順について説明する。図９は、本実施の形態における時刻補正処理の処理手順の一例を示すフローチャートである。
【００７１】
図９に示すように、まず、時刻補正装置１５のモード選択部１５ａは、図４および図５に示した入力画面２０の自動モード設定欄２１において、自動モードの使用の有無に関するユーザからの入力を受け付ける（ステップＳ１０）。
【００７２】
次に、情報受付部１５ｂは、自動モードを使用することがユーザにより選択されたか否かを判定する（ステップＳ１１）。
【００７３】
自動モードを使用することがユーザにより選択された場合（ステップＳ１１においてＹＥＳの場合）、情報受付部１５ｂは、図５に示した入力画面２０の日付入力欄２２および時刻入力欄２３において、ユーザから基準時刻の入力を受け付ける（ステップＳ１２）。
【００７４】
続いて、補正量選択部１５ｃは、基準時刻に対するリアルタイムクロック１４の内部基準時刻の補正量適用期間（例えば、３０日）当たりの誤差を算出する（ステップＳ１３）。そして、補正量選択部１５ｃは、図３に示した設定値の中からその誤差を補正するための設定値を選択する（ステップＳ１４）。
【００７５】
その後、報知部１５ｅは、基準時刻に基づいて算出された補正量適用期間当たりの誤差が、リアルタイムクロック１４の時刻を前回補正する際に生じていた補正量適用期間当たりの誤差よりも大きいか否かを判定する（ステップＳ１５）。
【００７６】
そして、基準時刻に基づいて算出された補正量適用期間当たりの誤差が、リアルタイムクロック１４の時刻を前回補正する際に生じていた補正量適用期間当たりの誤差よりも大きくない場合（ステップＳ１５においてＮＯの場合）、時刻補正部１５ｄは、リアルタイムクロック１４に補正量選択部１５ｃにより選択された設定値を適用し（ステップＳ１６）、この時刻補正処理を終了する。
【００７７】
基準時刻に基づいて算出された補正量適用期間当たりの誤差が、リアルタイムクロック１４の時刻を前回補正する際に生じていた補正量適用期間当たりの誤差よりも大きい場合（ステップＳ１５においてＹＥＳの場合）、報知部１５ｅは、図６に示したような報知画面３０を表示して、ユーザに誤差が大きくなる旨報知する（ステップＳ１７）。
【００７８】
そして、情報受付部１５ｂは、ユーザから基準時刻の再入力要求を受け付けたか否かを判定する（ステップＳ１８）。
【００７９】
ユーザから基準時刻の再入力要求を受け付けた場合（ステップＳ１８においてＹＥＳの場合）、ステップＳ１２以降の処理が再度実行される。
【００８０】
ユーザから基準時刻の再入力要求を受け付けなかった場合（ステップＳ１８においてＮＯの場合）、情報受付部１５ｂは、ユーザからリアルタイムクロック１４の内部基準時刻の破棄要求を受け付けたか否かを判定する（ステップＳ１９）。
【００８１】
ユーザからリアルタイムクロック１４の内部基準時刻の破棄要求を受け付けていない場合（ステップＳ１９においてＮＯの場合）、ステップＳ１８以降の処理が再度実行される。
【００８２】
ユーザからリアルタイムクロック１４の内部基準時刻の破棄要求を受け付けた場合（ステップＳ１９においてＹＥＳの場合）、情報受付部１５ｂは、図５に示した入力画面２０の設定値入力欄２４において、ユーザから設定値の入力を受け付ける（ステップＳ２０）。
【００８３】
そして、時刻補正部１５ｄは、リアルタイムクロック１４にユーザにより入力された設定値を適用し（ステップＳ１６）、この時刻補正処理を終了する。
【００８４】
また、ステップＳ１１において、自動モードを使用することがユーザにより選択されず、手動モードを使用することが選択された場合（ステップＳ１１においてＮＯの場合）も同様に、ステップＳ２０以降の処理が実行される。
【００８５】
なお、図４に示した手動モードにおける入力画面２０は、図３に示した複数の設定値の中からユーザが選択した設定値の入力をユーザから受け付けることとしたが、誤差を補正するために進めるべき時間または遅らせるべき時間の入力をユーザから受け付けることとしてもよい。
【００８６】
また、図４および図５に示した入力画面２０にユーザが数値を入力しやすくするため、表示装置１２にテンキーを表示することとしてもよい。
【００８７】
以上、本発明に係る実施形態について図面を参照して詳述してきたが、上述した各装置の機能は、コンピュータプログラムにより実現され得る。
【００８８】
上述した各装置の機能をプログラムにより実現するコンピュータの読取装置が、上記各装置の機能を実現するためのプログラムを記録した記録媒体からそのプログラムを読み取り、記憶装置に記憶させる。
【００８９】
あるいは、ネットワークカードが、ネットワークに接続されたサーバ装置と通信を行い、サーバ装置からダウンロードした上記各装置の機能を実現するためのプログラムを記憶装置に記憶させる。
【００９０】
そして、ＣＰＵ（Ｃｅｎｔｒａｌ  Ｐｒｏｃｅｓｓｉｎｇ  Ｕｎｉｔ）が、記憶装置に記憶されたプログラムをＲＡＭ（Ｒａｎｄｏｍ  Ａｃｃｅｓｓ  Ｍｅｍｏｒｙ）にコピーし、そのプログラムに含まれる命令をＲＡＭから順次読み出して実行することにより、上記各装置の機能が実現される。
【産業上の利用可能性】
【００９１】
本発明は、予め決められた複数の補正量のいずれかを用いてリアルタイムクロックの時刻を補正する時刻補正装置、時刻補正方法、および、時刻補正プログラムに好適に利用できる。
【符号の説明】
【００９２】
１０  冷凍装置
１１  入力装置
１２  表示装置
１３  記憶装置
１４  リアルタイムクロック
１５  時刻補正装置
１５ａ  モード選択部
１５ｂ  情報受付部
１５ｃ  補正量選択部
１５ｄ  時刻補正部
１５ｅ  報知部
２０  入力画面
２１  自動モード設定欄
２２  日付入力欄
２３  時刻入力欄
２４  設定値入力欄
２５  計算実行ボタン
２６  設定適用ボタン
３０  報知画面
３１  ＹＥＳボタン
３２  ＮＯボタン
【図１】
2020180876.tif 000003
【図２】
2020180876.tif 000004
【図３】
2020180876.tif 000005
【図４】
2020180876.tif 000006
【図５】
2020180876.tif 000007
【図６】
2020180876.tif 000008
【図７】
2020180876.tif 000009
【図８】
2020180876.tif 000010
【図９】
2020180876.tif 000011